(57)【要約】【課題】  従来、視聴予約が可能なテレビジョン受像機においては、利用者がそばにいない場合に番組を記録することにより後から利用者が番組を視聴できるようにしているが、利用者の検出に携帯端末を必要とするという問題があった。【解決手段】  上記課題を解決するべく、番組予約設定部１４で放送番組の視聴予約を行なったにもかかわらず予約された放送番組の開始時刻に至った際に装置が待機中であった場合、番組予約管理部１６で視聴予約を取り消すと共に、録画制御部１８にて装置に接続された図示せぬ外部録画機器に対し、予約された放送番組の録画を行なわせるようにした。【選択図】  図１
2005159707.tif 000002
【特許請求の範囲】
【請求項１】
放送番組の視聴予約を行なうための放送番組予約手段と、この予約手段で予約された放
送番組を受信する手段と、この予約手段で予約された放送番組の開始時刻に至った際に装
置が待機中であった場合に、視聴予約を取り消すと共にこの装置に接続される外部録画機
器に対し予約された放送番組の録画を行なわせる制御手段とを具備したことを特徴とする
放送受信装置。
【請求項２】
請求項１記載の放送受信装置において、前記制御手段は、前記予約手段で予約された放
送番組の開始時刻に至った際に装置が待機中であった場合に、前記予約された放送番組に
かかる信号を前記受信手段で受信させ、この信号を記録用信号として前記外部録画機器に
対し供給するよう構成されたことを特徴とする放送受信装置。
【請求項３】
放送番組の視聴予約を行なうための放送番組予約手段と、放送番組の記録を行なう録画
手段と、前記予約手段で予約された放送番組の開始時刻に至った際に装置が待機中であっ
た場合に、視聴予約を取り消すと共に前記録画手段に対し予約された放送番組の録画を行
なわせる制御手段とを具備したことを特徴とする放送受信装置。
【請求項４】
放送番組の視聴予約を行なうための放送番組予約手段と、この予約手段で予約された放
送番組の開始時刻に至った際に装置が待機中であった場合に前記予約された放送番組に対
する装置の対応を事前に設定可能な設定手段と、前記予約された放送番組の開始時刻に至
った際に装置が待機中であった場合に、前記設定手段の設定に基づき所定の制御を行なう
制御手段とを具備したことを特徴とする放送受信装置。
【請求項５】
放送番組の視聴予約を行なうための放送番組予約手段と、放送番組の記録を行なう録画
手段と、予約された放送番組の開始時刻に至った際に装置が待機中であった場合に予約さ
れた放送番組に対する装置の対応を事前に設定可能な設定手段と、予約された放送番組の
開始時刻に至った際に装置が待機中であった場合に、前記設定手段の設定に基づき所定の
制御を行なう制御手段とを具備したことを特徴とする放送受信装置。
【請求項６】
請求項４または５記載の放送受信装置において、前記設定手段で設定される対応は、視
聴予約の継続または取消、録画の実行または不実行、またはそれらの組み合わせから選択
されるものであることを特徴とする放送受信装置。
【発明の詳細な説明】
【技術分野】
【０００１】
本発明は、放送受信装置に関する。
【背景技術】
【０００２】
視聴予約が可能なテレビジョン受像機が種々提案されている。この視聴予約は予約した
時間になると受信チャンネルを自動的に予約したチャンネルに設定するものであり、他の
番組を見ている内に当初見たいと思っていた番組を見忘れるといった事が無いようにする
には大変便利な機能である。しかしながら、予約した番組の開始時刻に視聴者が受像機の
そばにいなかった場合等には、受像機の電源が入っていないために視聴が出来ないという
問題があった。このような問題を解決するため、特許文献１には、視聴予約していた番組
の開始時刻になったときに利用者が放送受信機のそばにいない場合、予約番組を受信して
ストレージに記憶させることで、後から利用者が番組を視聴できるようにした放送受信装
置が開示されている。
【０００３】
しかしながら、上記装置においては、利用者が放送受信機のそばにいるか否かは、視聴
番組の予約設定が可能な携帯端末が受信機の通信可能距離内に存在するか否かを検出して
判断するため、上記携帯端末を必要とするという問題があった。
【特許文献１】特開２００３−２３００６４号公報（第６頁、図１２）
【発明の開示】
【発明が解決しようとする課題】
【０００４】
上述したように、従来の視聴予約が可能なテレビジョン受像機においては、利用者がそ
ばにいない場合には、番組を記録することによって後から利用者が番組を視聴できるよう
にしているが、利用者の検出に携帯端末を必要とするという問題があった。
【０００５】
本発明はこのような点に鑑みてなされたもので、簡単な構成で視聴番組の記録を行なう
ことが出来る放送受信装置を提供することを目的とする。
【課題を解決するための手段】
【０００６】
上記目的を達成するために、請求項１にかかる放送受信装置は、放送番組の視聴予約を
行なうための放送番組予約手段と、この予約手段で予約された放送番組を受信する手段と
、この予約手段で予約された放送番組の開始時刻に至った際に装置が待機中であった場合
に、視聴予約を取り消すと共にこの装置に接続される外部録画機器に対し予約された放送
番組の録画を行なわせる制御手段とを具備したことを特徴とするものである。
【０００７】
また、請求項２にかかる放送受信装置は、請求項１記載の放送受信装置において、前記
制御手段は、前記予約手段で予約された放送番組の開始時刻に至った際に装置が待機中で
あった場合に、前記予約された放送番組にかかる信号を前記受信手段で受信させ、この信
号を記録用信号として前記外部録画機器に対し供給するよう構成されたことを特徴とする
ものである。
【０００８】
さらに、請求項３にかかる放送受信装置は、放送番組の視聴予約を行なうための放送番
組予約手段と、放送番組の記録を行なう録画手段と、前記予約手段で予約された放送番組
の開始時刻に至った際に装置が待機中であった場合に、視聴予約を取り消すと共に前記録
画手段に対し予約された放送番組の録画を行なわせる制御手段とを具備したことを特徴と
するものである。
【０００９】
請求項４にかかる放送受信装置は、放送番組の視聴予約を行なうための放送番組予約手
段と、この予約手段で予約された放送番組の開始時刻に至った際に装置が待機中であった
場合に前記予約された放送番組に対する装置の対応を事前に設定可能な設定手段と、前記
予約された放送番組の開始時刻に至った際に装置が待機中であった場合に、前記設定手段
の設定に基づき所定の制御を行なう制御手段とを具備したことを特徴とするものである。
【００１０】
請求項５にかかる放送受信装置は、放送番組の視聴予約を行なうための放送番組予約手
段と、放送番組の記録を行なう録画手段と、予約された放送番組の開始時刻に至った際に
装置が待機中であった場合に予約された放送番組に対する装置の対応を事前に設定可能な
設定手段と、予約された放送番組の開始時刻に至った際に装置が待機中であった場合に、
前記設定手段の設定に基づき所定の制御を行なう制御手段とを具備したことを特徴とする
ものである。
【００１１】
請求項６にかかる放送受信装置は、請求項４または５記載の放送受信装置において、前
記設定手段で設定される対応は、視聴予約の継続または取消、録画の実行または不実行、
またはそれらの組み合わせから選択されるものであることを特徴とするものである。
【発明の効果】
【００１２】
本発明によれば、簡単な構成で視聴番組の記録を行なうことが出来る放送受信装置を提
供することが出来る。
【発明を実施するための最良の形態】
【００１３】
以下、本発明になる放送受信装置の実施の形態について、図面を参照して説明する。
【００１４】
図１は本発明になる放送受信装置の一実施の形態を示す回路ブロック図である。なお、
本実施の形態においては、受信装置としてＢＳ（Broadcasting Satellite）デジタル放送
受信装置を取り上げる。
【００１５】
図中、１はＢＳデジタル放送受信用アンテナ、２はアンテナ１からの放送信号から選択
されたチャンネルを受信して復調するチューナ／復調部、３はチューナ／復調部２に接続
され復調された信号に基づき映像信号を生成する映像処理部、４は同じくチューナ／復調
部２に接続され復調された信号に基づき音声信号を生成する音声処理部である。そして映
像処理部３には映像表示用のモニタ５及び映像出力端子６が接続され、音声処理部４には
音声出力用のスピーカ７及び音声出力端子８が接続されている。なお、映像出力端子６及
び音声出力端子８には、図示せぬ外部録画機器の映像入力端子及び音声入力端子がそれぞ
れ接続されている。
【００１６】
一方、１１は番組録画予約機能と番組視聴予約機能との両者の番組予約機能を実現する
番組予約部であり、これは以下に詳細を説明するＳＩ情報取得部１２、ＳＩ情報管理部１
３、番組予約設定部１４、待機中視聴予約制御設定部１５、番組予約管理部１６、視聴制
御部１７、録画制御部１８から構成されている。
【００１７】
ＳＩ情報取得部１２はチューナ／復調部２に接続され、復調された信号に基づきＳＩ情
報を取得するものであり、例えば放送番組の放送開始時刻や放送終了時刻などの情報を取
得する。ここでＳＩ情報とは、ＢＳデジタル放送において放送番組の合間を縫って多重化
され送信されているＳＩ（Service Information）と称される番組配列情報のことである
。ＳＩ情報管理部１３はＳＩ情報取得部１２に接続され、ＳＩ情報取得部１２で取得した
情報を管理するものである。
【００１８】
さらに、番組予約設定部１４はＳＩ情報管理部１３に接続され、ＳＩ情報に基づきユー
ザが視聴予約または録画予約したい放送番組にかかる番組情報を番組予約情報として設定
登録するものであり、待機中視聴予約制御設定部１５は設定登録した番組予約情報が示す
放送開始時刻に至った際に、ＢＳデジタル放送受信装置が待機中であった場合の制御を予
め選択することが出来るようにしたものである。なお、本明細書で「待機中」とは、図示
せぬリモコン装置から電源ＯＮが指示された場合に、これを受け付けることができる電源
ＯＦＦの状態をいう。
【００１９】
番組予約管理部１６は番組予約設定部１４及び待機中視聴予約制御設定部１５に接続さ
れ、例えばＢＳデジタル放送受信装置が待機中であった場合に、設定登録した視聴予約を
継続するか、キャンセルするか、録画に切り換えるか、視聴と録画の両方を行うかを管理
するものである。視聴制御部１７は番組予約管理部１６に接続され、後段に接続されたチ
ューナ／復調部２及び映像処理部３及び音声処理部４を制御して視聴予約番組を視聴可能
な状態に設定するものであり、録画制御部１８は、視聴制御部１７と同じく番組予約管理
部１６に接続され、後段に接続されたチューナ／復調部２及び映像処理部３、音声処理部
４を制御して視聴予約番組あるいは録画予約番組を録画可能な状態に設定するものである
。
【００２０】
次に、図１の装置の動作を図２のフローチャートも用いて詳細に説明する。図２は、図
１の装置の動作を説明するためのフローチャートである。最初に、番組予約部１１の番組
予約設定部１４で視聴予約が設定登録されたか、あるいは待機中視聴予約制御設定部１５
で、視聴予約番組の放送開始時刻に至った際にＢＳデジタル放送受信装置が待機中であっ
た場合の視聴予約の制御についての設定が登録されたか否かが確認される（ステップＳ１
）。
【００２１】
視聴予約が設定登録されると、番組予約設定部１４はＳＩ情報管理部１３から視聴予約
番組の放送開始時刻・放送終了時刻などの情報を取得し、番組予約管理部１６にて作成・
管理されている番組予約管理テーブル（詳細を後述する図３を参照）の情報を更新する（
ステップＳ２）。なお、視聴予約番組の放送開始時刻・放送終了時刻などの情報を管理し
ているＳＩ情報管理部１３は、ＳＩ情報取得部１２と連携をとって最新の情報を管理して
いる。
【００２２】
ここで、番組予約管理部１６にて作成・管理されている番組予約管理テーブルについて
図３を用いて説明する。番組予約管理部１６は番組予約管理テーブル２１を有し、設定部
１４及び１５へ設定入力がなされることにより、このテーブル２１は更新処理がなされる
。テーブル２１は、放送番組２２、上記放送番組の放送開始時刻２３、同じく放送終了時
刻２４、視聴、録画といった番組予約の種類２５、視聴予約番組の放送開始時刻に至った
際にＢＳデジタル放送受信装置が待機中であった場合の視聴予約の制御についての設定を
示す待機中視聴予約制御２６をその構成項目としている。
【００２３】
また、待機中視聴予約制御設定部１５にて、視聴予約番組の放送開始時刻に至った際に
ＢＳデジタル放送受信装置が待機中であった場合の視聴予約の制御をどうするかが設定登
録されると（ステップＳ１）、待機中視聴予約制御設定部１５は番組予約管理部１６にて
作成・管理されている番組予約管理テーブルの情報を更新する（ステップＳ２）。このと
き、平行して、番組予約管理部１６では、既に視聴予約されている番組については番組の
放送開始時刻を見張っている。そこで、ステップＳ３にて視聴予約番組の放送開始時刻に
なったかを確認し、番組の放送開始時刻に至った場合には、ＢＳデジタル放送受信装置が
待機中であるかどうかを確認する（ステップＳ４）。デジタル放送受信装置が待機中であ
った場合（ステップＳ４でＹＥＳの場合）には、番組予約管理部１６では番組予約管理テ
ーブルを参照して視聴予約を継続するか、またはキャンセルするか、録画に切り換えるか
、あるいはまた視聴と録画の両方を行うかのいずれかの設定内容を取得し（ステップＳ５
）、取得した内容に応じて制御を行う（ステップＳ６）。
【００２４】
ステップＳ５で取得した制御内容が視聴予約の継続の場合には、番組予約管理部１６は
視聴制御部１７に指示を出し、視聴制御部１７はチューナ／復調部２及び映像処理部３、
音声処理部４を制御し、モニタ５に映像を表示させると共にスピーカ７から音声を出力し
、視聴のための動作を開始する。ステップＳ５で取得した制御内容が視聴予約のキャンセ
ルの場合には、番組予約管理部１６は番組予約管理テーブルから該当する視聴予約の情報
を削除し、視聴予約をキャンセルする。
【００２５】
ステップＳ５で取得した制御内容が録画への切り換えの場合には、番組予約管理部１６
は録画制御部１８に指示を出し、録画制御部１８はチューナ／復調部２及び映像処理部３
、音声処理部４を制御し、外部機器に向けて映像出力端子６から映像信号を出力すると共
に、音声出力端子８からは音声信号を出力して録画のための動作を開始する。このとき、
番組予約管理部１６は、録画を実行するために図示しない外部録画機器の録画（記録）制
御も行う。この場合、モニタ５には表示はなされず、スピーカ７からも音声は出力されな
い。
【００２６】
ステップＳ５で取得した制御内容が視聴と録画の両方を行う場合には、番組予約管理部
１６は視聴制御部１７及び録画制御部１８に指示を出し、視聴制御部１７及び録画制御部
１８はチューナ／復調部２及び映像処理部３、音声処理部４を制御し、モニタ５に映像を
表示させると共に映像出力端子６から映像信号を出力させ、さらにスピーカ７から音声を
出力させると共に音声出力端子８から音声信号を出力させ、視聴及び録画のための動作を
開始する。このとき、番組予約管理部１６は、録画を実行するために図示しない外部録画
機器の制御も行う。
【００２７】
なお、視聴予約番組の放送開始時刻に至った際にデジタル放送受信装置が待機中でない
場合（電源が入り、何らかの映像が表示されている場合／ステップＳ４でＮＯの場合）に
は、番組予約管理部１６は視聴制御部１７に指示を出し、視聴制御部１７はチューナ／復
調部２及び映像処理部３、音声処理部４を制御し、モニタ５からは予約された番組にかか
るチャンネルの映像を、スピーカ７からは音声を出力して視聴のための動作を開始する（
ステップＳ７）。
【００２８】
また、ステップＳ１でＮＯの場合（視聴予約設定も待機中視聴予約制御設定もなされな
い場合）は直接ステップＳ３に移り、前述した視聴予約番組の放送開始時刻か否かがチェ
ックされることになる。さらにステップＳ３でＮＯの場合（開始時刻に至っていない場合
、及び視聴予約が無い場合）は、処理は再びステップＳ１に戻ることになる。
【００２９】
上記実施の形態によれば、視聴予約番組の放送開始時刻に至った際にＢＳデジタル放送
受信機が待機中であった場合の視聴予約の制御をユーザの嗜好に合わせて設定することが
でき、また、視聴予約番組の録画が可能になるため、ユーザが予約時刻を忘れて受信機の
そばにいない場合であっても、後から視聴予約番組を視聴することが可能になる。
【００３０】
また、外部録画機器がビデオテープレコーダ（以下、ＶＴＲという）の如き機器の場合
は、機器が記録命令を受けてから実際に記録が開始されるまでに若干の時間を必要とする
（サーボがロックするまではテープへの記録を行なわない）。そのため、番組の最初の部
分が録画されていないということがないように、実際の放送開始時刻よりも若干早めの時
間をステップＳ３にて現在時刻と比較し、録画がなされるようにすれば良い。なお、本明
細書の「放送番組の開始時刻」は、上記の如き時刻をも含むものである。
【００３１】
ところで、上記実施の態様では放送受信装置としてＢＳデジタル放送受信装置を取り上
げたが、ＣＳデジタル放送受信装置や地上波デジタル放送受信装置、あるいはその他関連
の受信機器等に対しても本発明を適用することが可能であることは言うまでもない。
【００３２】
また上記実施の形態では録画を受信装置に接続される外部の録画機器を用いて行なう構
成としているが、放送受信装置自体に録画機器を内蔵させることも可能である。
【図面の簡単な説明】
【００３３】
【図１】本発明になる放送受信装置の一実施の形態を示すブロック図。
【図２】図１の装置の動作を説明するためのフローチャート。
【図３】図１の番組予約管理部で作成される番組予約管理テーブルを説明するための図。
【符号の説明】
【００３４】
１：  ＢＳデジタル放送受信用アンテナ
２：  チューナ／復調部
３：  映像処理部
４：  音声処理部
５：  モニタ
６：  映像出力端子
７：  スピーカ
８：  音声出力端子
１１：  番組予約部
１２：  ＳＩ情報取得部
１３：  ＳＩ情報管理部
１４：  番組予約設定部
１５：  待機中視聴予約制御設定部
１６：  番組予約管理部
１７：  視聴制御部
１８：  録画制御部
【図１】
2005159707.tif 000003
【図２】
2005159707.tif 000004
【図３】
2005159707.tif 000005